(57)【特許請求の範囲】
【請求項１】
音声メール・システムから移動通信デバイスへメッセージ待機表示を供給する方法であって、
データベース内に、前記メッセージ待機表示を記憶するステップと、
前記データベースに、パケット・チャネルを通して、通信のために、前記移動無線通信デバイスが、パケット・モードに入ろうとしていることを通知するステップと、
前記通知ステップに応じて、前記データベースから前記パケット・チャネルに関連する移動サービス交換局へ前記メッセージ待機表示を送信するステップと、
前記パケット・チャネルを通して、前記移動サービス交換局から前記移動無線通信デバイスにメッセージ待機表示を送信するステップとを含む方法。
【請求項２】
請求項１記載の方法において、前記最後の送信ステップが、前記メッセージ待機表示を送信するために、前記ＯＳＩプロトコル・スタックの前記階層３プロトコルを使用するステップを含む方法。
【請求項３】
請求項２記載の方法において、前記最後の送信ステップが、前記メッセージ待機表示を送信するために、前記階層３プロトコルのＳＥＴＵＰメッセージを使用するステップを含む方法。
【請求項４】
請求項３記載の方法において、前記ＳＥＴＵＰメッセージが、表示情報素子を含む方法。
【請求項５】
請求項１記載の方法において、前記最後の送信ステップが、パケット・セッションの最初に前記メッセージ待機表示を送信するステップを含む方法。
【請求項６】
請求項１記載の方法において、前記最後の送信ステップが、パケット・セッションの最後に前記メッセージ待機表示を送信するステップを含む方法。
【請求項７】
音声メール・システムから移動通信デバイスへメッセージ待機表示を送信する方法であって、
前記移動通信デバイスのパケット登録に応答してメッセージ待機表示の送信が望まれているかを判断するステップと、
前記メッセージ待機表示をパケット・チャネルを通して前記ＯＳＩプロトコル・スタックの前記階層３プロトコルを使用して送信するステップとを含む方法。
【請求項８】
請求項７記載の方法において、前記送信ステップが、前記メッセージ待機表示を送信するために、前記階層３プロトコルのＳＥＴＵＰメッセージを使用するステップを含む方法。
【請求項９】
請求項８記載の方法において、前記ＳＥＴＵＰメッセージが、表示情報素子を含む方法。
【請求項１０】
請求項７記載の方法において、前記送信ステップが、前記メッセージ待機表示を記憶しているデータ・ベースから前記パケット・チャネルに関連した移動サービス交換センターに前記メッセージ待機表示を送信するステップを含む方法。
【請求項１１】
請求項１０記載の方法において、さらに前記送信ステップが、移動サービス交換センターから前記パケット・チャネルを通して前期移動通信デバイスに前記メッセージ待機表示を送信するステップを含む方法。
【請求項１２】
請求項７記載の方法において、前記送信ステップが、パケット・セッションの最初に前記メッセージ待機表示を送信するステップを含む方法。
【請求項１３】
請求項７記載の方法において、前記送信ステップが、パケット・セッションの最後に前記メッセージ待機表示を送信するステップを含む方法。
【請求項１４】
音声メール・システムから無線通信ネットワークで動作している移動通信デバイスへメッセージ待機表示を送信する方法であって、
データベース内に、前記メッセージ待機表示を記憶するステップと、
前記メッセージ待機表示が送信される受信装置がパケット・モードで動作中かを判断するステップと、
もし前記受信装置がパケット・モードで動作していればパケット・チャネルを通して前記メッセージ待機表示を送信するステップとを含む方法。
【請求項１５】
請求項１４記載の方法において、前記受信装置が、移動通信デバイスである方法。
【請求項１６】
請求項１４記載の方法において、前記送信ステップが、前記メッセージ待機表示を送信するために、前記ＯＳＩプロトコル・スタックの前記階層３プロトコルを使用するステップを含む方法。
【請求項１７】
請求項１５記載の方法において、前記送信ステップが、前記メッセージ待機表示を送信するために、前記階層３プロトコルのＳＥＴＵＰメッセージを使用するステップを含む方法。
【請求項１８】
請求項１６記載の方法において、前記ＳＥＴＵＰメッセージが、表示情報素子を含む方法。
【請求項１９】
請求項１４記載の方法において、前記送信ステップが、前記メッセージ待機表示を記憶しているデータ・ベースから前記パケット・チャネルに関連した移動サービス交換センターに前記メッセージ待機表示を送信するステップを含む方法。
【請求項２０】
請求項１８記載の方法において、さらに前記送信ステップが、移動サービス交換センターから前記パケット・チャネルを通して前期受信装置に前記メッセージ待機表示を送信するステップを含む方法。
【請求項２１】
請求項１４記載の方法において、前記送信ステップが、パケット・セッションの最初に前記メッセージ待機表示を送信するステップを含む方法。
【請求項２２】
請求項１４記載の方法において、前記送信ステップが、パケット・セッションの最後に前記メッセージ待機表示を送信するステップを含む方法。
【発明の詳細な説明】
【技術分野】
【０００１】
本発明は、デジタル・セルラー電気通信システムに関し、特に上記システムにおける短メッセージ・サービスの改善に関する。
【背景技術】
【０００２】
図１は、デジタル・セルラー電気通信システム、すなわち、従来パーソナル・デジタル・セルラー（ＰＤＣ）システムと呼ばれていたシステムである。このシステムの一つの特徴は、引用によって本明細書の記載に援用する従来のＲＣＲ２７規格を使用する移動局に対してインターネット接続を提供することである。図１のシステムにおけるインターネット接続へのデータ伝送は、インターネット・プロトコル（ＩＰ）に基づいている。すなわち、パケット・データ送信モデルは、エア・インターフェースを含む端部間で実行される。図１の例は、ＰＤＣパケットおよび回線サービス用のネットワーク構造を実行する一つの方法を示す。
【０００３】
図１の場合には、在圏移動通信交換局（ＶＭＳＣ）および関門移動通信交換局（ＧＭＳＣ）が、公衆電話網（ＰＳＴＮ）または統合デジタル通信網（ＩＳＤＮ）に対して、回線をベースとするサービスを提供する。ＶＭＳＣは、また、移動局（ＭＳ）に対して、制御チャネル（ＣＣＨ）に関連する回線をベースとする機能を提供する。このような機能の一例としては、位置登録があり、この位置登録は、ホーム・ロケーション・レジスタ（ＨＬＲ）に対してＭＳの位置を更新するのに使用される。
【０００４】
在圏パケット移動通信交換局（ＶＰＭＳＣ）および関門パケット移動通信交換局（ＧＰＭＳＣ）は、パケット・データ・サービスを提供する。ＶＰＭＳＣは、移動局、ＭＳに対するユーザ・パケット・チャネル（ＵＰＣＨ）を制御し、また、移動局のモードがパケット・モードである場合には、移動局に対して移動機能を提供する。ＧＰＭＳＣは、インターネットに対する接続を制御する。
【０００５】
ネットワークは、特定の機能に対するノードを含む。例えば、短メッセージ・サービス・センター（ＳＭＳＣ）は、短メッセージを記憶し、短メッセージ・サービス（ＳＭＳ）に対して機能を提供する。ＳＭＳは、通常の音声呼出しを接続するのとほぼ同じ方法で、移動ネットワーク内で信号法を送信するために、総合デジタル・サービス網のユーザ部（ＩＳＵＰ）を使用する。ＳＭＳＣは、また、インターネットと接続することができ、そのため、移動局に短メッセージ・サービスを提供するために、電子メールを使用することができる。
【０００６】
図１においては、移動局がインターネット・サービスを使用している場合には、移動局、ＭＳは、ＵＰＣＨを通して、基地局、ＢＳおよびＶＰＭＳＣと通信する。このことは、移動局が、本質的にＵＰＣＨにロックされていて、そのため、ＣＣＨ上のページング・チャネルのような他のチャネルをモニタできないことを意味する。パケット・セッションは、さらに、内部バックボーンおよびＧＰＮＳＣを通してインターネットに接続される。
【０００７】
インターネット・サービスを使用中に（すなわち、パケット・セッション中に）、移動局が、ＰＳＴＮから音声呼出しを受信した場合には、ＧＭＳＣは、ＰＳＴＮからその音声呼出しを受信し、ＨＬＲに移動局の位置についての問合わせを行う。ＨＬＲは、移動局の位置についての情報を持っていて、また、移動局のモードがパケット・モードであることを示す情報を持っている。上記情報は、ＧＭＳＣに返送され、その結果、そのＧＭＳＣは、そのサービス・エリア内に、その移動局が現在位置しているＶＭＳＣにその呼出しを転送する。
【０００８】
移動局のモードがパケット・モードであるので、ＶＭＳＣは、ＶＭＳＣに対してＣＣＨ上の移動局をページングする必要はない。それ故、ＶＭＳＣは、ＶＰＭＳＣに、ＵＰＣＨによりページング指令を送るように指令する。その移動局を使用している加入者が、外からの音声呼出しを受け入れた場合には、移動局は、その受け入れをＵＰＣＨにより送信する。その後で、移動局は現在のパケット・セッションを終わらせ、外からの音声呼出しを受信するために、トラヒック・チャネルＴＣＨ上で接続を行う。
【０００９】
従来は、移動局のモードがパケット・モードである場合は、移動局ネットワークは、外からの音声呼出しを処理するのと類似の方法で短メッセージを処理していた。図２を参照しながら説明すると、この場合、短メッセージはＳＭＳＣで受信され、ＳＭＳＣは、ＧＭＳＣ（２０）を呼び出す。その後で、ＧＭＳＣは、ＨＬＲ（２１）を問合わせて移動局についての最近情報を得る。さらにＧＭＳＣはＶＭＳＣ（２２）を呼び出す。移動局のモードがパケット・モードでない場合には（２３）、短メッセージ・サービスを提供するために、ＣＣＨが使用される。移動局のモードがパケット・モードである場合には（２３）、ＶＭＳＣは、ＶＰＭＳＣ（２５）を呼び出し、ＶＰＭＳＣは、ＵＰＣＨ（２６）上で移動局をページングする。
【００１０】
移動局のモードがパケット・モードであり、そのためＵＰＣＨをモニタしている場合には、移動局のユーザは、外からの呼出しを受け入れ、外からの短メッセージの受信に同意することができる。音声呼出しに関する上記状況と同じように、移動局は、短メッセージ（２７）を受信するために、パケット・セッションを終らせ、ＣＣＨ上で接続を行うことができる。その後で、ＶＭＳＣは、従来のＯＳＩプロトコル・スタック（２８）の階層３プロトコル(layer 3 protocol)を使用して、ＣＣＨにより短メッセージを送信する。
【００１１】
上記の従来の技術は、下記の欠点を持つ。短メッセージは、テキスト情報だけを含んでいるので、短メッセージを受信するために、移動局を強制的にＵＰＣＨからＣＣＨに移動させるのは、非常に非効率的である。パケット・セッションを終了するために、ユーザは、通常、外からの呼出しを受け入れる前に、インターネットのセッションを終了しなければならない。さらに、外からの呼出しを受け入れられるとき、ユーザは、外からの通信が、自分が現在のパケット・セッションを終了しなくても、記憶し、後で読むことができる短メッセージであることすらも分からない。例えば、ユーザは、音声呼出しを受信しないまままにしたくないので、ユーザは、自分がパケット・セッションを終了するまで、待たせておくことができた、呼出し（テキスト・メッセージ）を受け入れるために、パケット・セッションを中断し、終わらせるかもしれない。また、パケット・セッションを終了するプロセス、および短メッセージを受信するために、ＣＣＨに接続するプロセス（およびパケット・セッションをその後で再開するプロセス）は、 都合の悪いことに、移動局とネットワークとの間で、かなりの量の信号の交換を必要とする。
【００１２】
他の従来のシステムは、移動局の加入者に、すべての短メッセージを送信するために、電子メールのようなインターネット・サービスを使用する。ＳＭＳＣは、すべてのＳＭＳメッセージを電子メール・アプリケーションに転送する。上記システムは、上記の欠点を持っていないが、しかし、回線交換短メッセージ・サービスは、通常、短メッセージを送信するのにもっと適している。何故なら、このサービスは、通常、目的とする相手方に、電子メールよりもっとタイムリーにメッセージを供給するからである。
【００１３】
それ故、上記欠点のない短メッセージ・サービスを提供することが望ましい。
【００１４】
本発明を使用すれば、移動局のモードが、すでにパケット・モードになっている限りは、ＳＭＳメッセージを送るために、パケット・チャネルを使用することにより上記欠点を解決する。
【００１５】
本発明は、また、パケット・チャネルを通してＳＭＳメッセージを送信するために、ＯＳＩプロトコル・スタックの階層３プロトコルを使用することにより上記欠点を解決する。
【００１６】
（発明の詳細な説明）
図３の例は、本発明の短メッセージ・サービスの実行を示す。図１について説明すると、ＳＭＳＣが、短メッセージ・サービスで送信するためのメッセージを受信した場合には、ＳＭＳＣはＧＭＳＣ（２０）を呼び出す。その後で、ＧＭＳＣは、移動局についての情報を入手するために、ＨＬＲ（２１）に対して問合わせを行う。移動局のモードがパケット・モードでない場合には（２３）、従来と同様に、短メッセージ（２４）サービスを提供するためにＣＣＨが使用される。しかし、移動局のモードがパケット・モードである場合には（２３）、ＧＭＳＣはＳＭＳＣ（３５）からの呼出しを拒絶する。この拒絶メッセージは、特殊な予め指定した原因コードを使用することにより実行することができるし、または原因パラメータの診断フィールドをＩＳＵＰ信号法内で使用することができる。
【００１７】
ＧＭＳＣから拒絶を受信した場合には、ＳＭＳＣは、移動局（３６）に、ＶＰＭＳＣを通して、ＴＣＰ／ＩＰ接続を使用して、ＵＰＣＨにより、短メッセージを送る。このことは、電子メール・ブラウザのような、現在の従来のＴＣＰ／ＩＰアプリケーションを使用して行うことができる。図４の例は、図３に類似しているが、ＳＭＳＣは、短メッセージを送るために、特に、電子メール（４１）を使用している。
【００１８】
短メッセージ用にＴＣＰ／ＩＰを使用するための別の方法は、移動局に接続しているＳＭＳＣおよびコンピュータの両方に、ＴＣＰ／ＩＰ接続を通して、短メッセージを送信するための専用のアプリケーションと専用のポートを供給する方法である。ＳＭＳＣの専用アプリケーションは、従来のＳＭＳＣアプリケーションからメッセージを受信する。このインターフェースは、電子メールへの短メッセージの送信をサポートしている従来のＳＭＳＣアプリケーションで使用されているものと同じものである。短メッセージを受信した場合には、ＳＭＳＣの専用アプリケーションは、ＵＰＣＨを通して、ＴＣＰ／ＩＰ接続により、移動局にメッセージを送信する。移動局宛のメッセージは、呼出しアドレス、被呼アドレス、主題および本体であるアドレスを含む。移動局加入者の被呼アドレスは、ＩＰアドレスである。このアドレスは、移動局と通信するときに、インターフェースが使用するアドレスと同じものである。このアドレスは、ＳＭＳＣで予め定めることができる。
【００１９】
新しいアプリケーションは、ＴＣＰで使用するための新しいアプリケーション・ポートを持つ。上記ポート番号は、遠隔ホスト内で適当なアプリケーションを呼び出すために使用される。当業者であれば、上記ポートの取扱いは周知である。
【００２０】
移動局側の専用ＴＣＰ／ＩＰアプリケーションは、メッセージを受信し、例えば、ユーザに対するポップアップ・メニューを開く。その後で、ユーザは、メッセージを読み、そのメッセージを携帯用コンピュータ（図１参照）のハードディスク、または移動局のメモリに記憶する。ＴＣＰ／ＩＰ用の専用アプリケーションおよびポートは、当業者にとって周知のものである。
【００２１】
図５は、移動局のモードがパケット・モードである場合に、短メッセージ・サービスを処理するための本発明の他の技術である。図５の技術は、図２の従来の技術に類似しているが、図５の技術は、移動局が、ステップ２６で、ＵＰＣＨにより、ＶＰＭＳＣからページを受信した後で、ＵＰＣＨからＣＣＨへ移動しない点が、図２の技術とは異なっている。
【００２２】
代わりに、図５の場合には、従来のＯＳＩプロトコル・スタック（５４）の階層３プロトコルを使用して、ＵＰＣＨにより短メッセージを送信するのに、ＶＰＭＳＣが使用される。より詳細に説明すると、階層３プロトコルの「設定」メッセージが、移動局のメッセージを通信するために使用される。ＯＳＩスタックの階層３は、従来、移動局で終了されてきたので、移動局は、ＣＣＨを通して受信するのと同じ方法で、短メッセージを受信し、処理することができる。
【００２３】
ＵＰＣ上での階層３プロトコルの上記使用は、ＶＰＭＳＣのソフトウェアで容易に実行される。
【００２４】
また、図３−図５の技術に類似している技術を、移動局が発信した短メッセージ用に使用することができる。上記短メッセージは、ＵＰＣＨを通して、移動局またはコンピュータ１１（図１参照）からＶＰＭＳＣへ送ることができる。その後で、ＴＣＰ／ＩＰ方法を使用する場合には、ＶＰＭＳＣは、メッセージを直接ＳＭＳＣに送信する。階層３の方法を使用する場合には、短メッセージは、回線交換サービスを行っているネットワーク構成部材、すなわち、ＶＭＳＣおよびＧＭＳＣを通してＶＰＭＳＣからＳＭＳＣへ送信される。それ故、移動局がパケット・セッションに参加している間は、短メッセージを送信するために、ＣＣＨを使用する必要はない。むしろ、短メッセージを処理するために、ＵＰＣＨ上の現在の接続が使用される。
【００２５】
図５のところで説明した技術は、通常、音声チャネルＴＣＨは必要としないが、移動局ＭＳへの信号法経路だけを必要とする、すべてのサービスに対して使用することができる。上記サービスの一例としては、従来のメッセージ待機表示（ＭＷＩ）がある。音声メール・システム（ＶＭＳ）内に新しい音声メッセージが存在する場合には、移動局にメッセージ待機表示が送られる。図６に示す従来の動作の場合には、ＶＭＳは、ＨＬＲに新しい一つのメッセージまたは複数のメッセージ（６１）についてのＭＷＩを送信する。ＨＬＲは、ＭＷＩをそのエリア内に移動局が位置するＶＭＳＣ（６３）に送信する。移動局が何等かの回線交換活動（６５）を示した場合には、例えば、回線交換呼出しを接続した場合、または移動局が位置登録（６７）を行った場合には、階層３プロトコル（６９）を使用し、ＣＣＨにより、ＭＷＩが、ＶＭＳＣから移動局に送られる。このことは、階層３プロトコルを使用して、「設定」メッセージにより表示情報素子を移動局に送信することにより行われる。表示情報素子は、例えば、移動局のディスプレイ上に表示されるテキスト・メッセージであってもよい。また、表示情報素子は、移動局のディスプレイ上に表示する特定の図またはアイコンであってもよい。
【００２６】
加入者が、移動局からＶＭＳに対して呼出しを行った後で、ＶＭＳは、ＨＬＲを通して、ＶＭＳＣにキャンセル指令を送信する。ＶＭＳＣは、もはや、移動局に対してＭＷＩを送信する必要がないことを知る。
【００２７】
図５のところで説明した技術と類似の方法を使用して、本発明により、ＵＰＣＨを通して、移動局にＭＷＩを送信することができる。従来の方法（図６および図７の６１および６３参照）により、ＶＭＳＣがＭＷＩを受信した場合には、ステップ７１のところで、移動局のモードが、パケット・モードであるかどうかの判断が行われる。パケット・モードでない場合には、ＶＭＳＣは、従来の方法（図６の６５、６７および６９参照）により、ＭＷＩを送るために、ＣＣＨ（７３）を使用する。ステップ７１において、移動局のモードがパケット・モードである場合には、ＶＭＳＣは、ステップ７５のところで、ＭＷＩをＶＰＭＳＣに転送する。その後で、ステップ７７において、ＶＰＭＳＣは、階層３プロトコルの「設定」メッセージを使用して、ＵＰＣＨにより、移動局にＭＷＩを送信する。パケット・セッションの開始のところ、およびパケット・セッションの終わりのところで、ＵＰＣＨにより移動局にＭＷＩ送信することもできる。
【００２８】
ＶＰＭＳＣがＨＬＲにパケット通信登録を行っている場合、すなわち、ＨＬＲに、移動局のモードが、パケット・モードに入ろうとしていることを知らせている場合には、ＶＰＭＳＣは、ＨＬＲから直接ＭＷＩを受信することができる。図８の例はこのことを示す。ステップ８１のところで、ＶＰＭＳＣは、ＨＬＲに移動局に対するパケット登録を行う。パケット登録中、ステップ８３のところで、移動局が、ＨＬＲ内にＭＷＩを持っているかどうかの判断が行われる。持っていない場合には、必要に応じて、パケット登録が継続して行われる。移動局がＨＬＲ内にＭＷＩを持っている場合には、ステップ８５のところで、ＨＬＲは、ＶＰＭＳＣに直接ＭＷＩを供給する。ステップ７７のところで、ＶＰＭＳＣは、図７のステップ７７のところで行ったのと同じ方法で、移動局にＭＷＩを送信する。
【００２９】
今まで、本発明の例示としての実施形態を詳細に説明してきたが、この説明は、種々の実施形態で実行することができる、本発明の範囲を制限するものではない。
【図面の簡単な説明】
【００３０】
【図１】従来のデジタル・セルラー電気通信システムである。
【図２】移動局のモードがパケット・モードである場合に、短メッセージ・サービスを提供する従来のアプローチである。
【図３】移動局のモードが、パケット・モードである場合に、短メッセージ・サービスを処理するための本発明の技術である。
【図４】移動局のモードが、パケット・モードである場合に、短メッセージ・サービスを処理するための本発明の他の技術である。
【図５】移動局のモードが、パケット・モードである場合に、短メッセージ・サービスを処理するための本発明の他の技術である。
【図６】移動局にメッセージ待機表示サービスを提供する従来のアプローチである。
【図７】そのモードがパケット・モードである移動局に、メッセージ待ち表示サービスを提供するための本発明の技術である。
【図８】そのモードがパケット・モードである移動局に、メッセージ待ち表示サービスを提供するための本発明の他の技術である。
【図１】
0004322306.tif 000002
【図２】
0004322306.tif 000003
【図３】
0004322306.tif 000004
【図４】
0004322306.tif 000005
【図５】
0004322306.tif 000006
【図６】
0004322306.tif 000007
【図７】
0004322306.tif 000008
【図８】
0004322306.tif 000009